(57)【要約】【課題】作業状況に応じた投雪距離を選択することができる除雪機を提供することを課題とする。【解決手段】一体型除雪機１０では、シュータ３０の後面の下端３１は、シュータ支持台３２の後面の上端３３にヒンジ３４で回転可能に留められ、雪を高い雪山へ投雪するときにはシュータ３０を垂直姿勢にさせ、雪を遠方へ投雪するときにはシュータ３０を例えば１０°で傾斜姿勢にさせ、保管するときにはシュータ３０を水平姿勢にさせることができるように構成した。【効果】作業状況に応じてシュータ３０の姿勢を変えることができるので、作業状況に応じた投雪距離を選択することができる一体型除雪機１０を提供することができる。【選択図】図４
0003137487.tif 000002
【実用新案登録請求の範囲】
【請求項１】
オーガを覆っているオーガハウジングと、このオーガハウジングから延ばされブロワが内蔵されているブロワケーシングと、このブロワケーシングに設けられた吐出口を介して取り付けられているシュータとを備え、前記オーガで集めた雪を前記ブロワで吹き上げ、前記シュータから投雪する除雪機において、
前記シュータの下端は、前記吐出口の上端にヒンジで回転可能に留められ、
雪を高所へ投雪するときには前記シュータを垂直姿勢にさせ、雪を遠方へ投雪するときには前記シュータを所定の角度で傾斜姿勢にさせ、保管するときには前記シュータを水平姿勢にさせることができるように構成したことを特徴とする除雪機。
【請求項２】
前記シュータの下端部と前記吐出口の上端部は、シュータを前記垂直姿勢又は前記傾斜姿勢で保持するロック機構によって連結されていることを特徴とする請求項１記載の除雪機。
【請求項３】
前記ブロワケーシングに、前記水平姿勢のシュータを載せるシュータ受け台が設けられ、前記シュータの姿勢を前記垂直姿勢又は前記傾斜姿勢から水平姿勢へ変更するとき、前記ロック機構を取り外すように構成したことを特徴とする請求項２記載の除雪機。
【考案の詳細な説明】
【技術分野】
【０００１】
本考案は、シュータから投雪する形式の除雪機に関するものである。
【背景技術】
【０００２】
オーガ式除雪機では、オーガで集めた雪をブロワで吹き上げ、シュータから投雪させる。そのため、シュータは、ブロワケーシングに設けた吐出口に取り付けられる。
【０００３】
従来各種のシュータ付き除雪機が提案されている（例えば、特許文献１参照。）。
【特許文献１】特開２０００−６４２４１公報（図１）
【０００４】
特許文献１を次図に基づいて説明する。
図９は従来の技術の基本構成を説明する図であり、（ａ）にて、除雪機１００は、雪上を走行する走行部１０１と、この走行部１０１の上に設けられ駆動源が内蔵されている機体１０２と、この機体１０２の前部から進行方向へ延ばされブロワが内蔵されているブロワケーシング１０３と、このブロワケーシング１０３の前部から進行方向へ延びているオーガハウジング１０４と、このオーガハウジング１０４で覆われているオーガ１０５と、ブロワケーシング１０３から吐出口１０６を介して上へ延ばされ上端部１０７が傾動可能であるシュータ１０８とを備えている。
【０００５】
（ｂ）にて、除雪機１００は、運転者１０９に操縦されると同時に、オーガ１０５で集めた雪をブロワで吹き上げ、シュータ１０８から投雪することで、雪１１１を除雪機１００の側方に積み上げることができる。
【０００６】
また、シュータ１０８の上端部１０７を二点鎖線で示すように傾動させることで、シュータ１０８から雪の落下地点までの投雪距離を調整することができる。
【０００７】
しかし、特許文献１の除雪機１００では、シュータ１０８は、上端部１０７のみ傾動可能であるため、投雪距離を狭い範囲内でしか変更することができない虞がある。したがって、投雪された雪は、特定の場所に集中して積み上げられることになる。これでは、作業状況に応じた投雪距離を選択することができないので、除雪機の使い勝手の悪化を招く。
【０００８】
そのため、作業状況に応じた投雪距離を選択することができる除雪機の開発が求められる。
【考案の開示】
【考案が解決しようとする課題】
【０００９】
本考案は、作業状況に応じた投雪距離を選択することができる除雪機を提供することを課題とする。
【課題を解決するための手段】
【００１０】
請求項１に係る考案は、オーガを覆っているオーガハウジングと、このオーガハウジングから延ばされブロワが内蔵されているブロワケーシングと、このブロワケーシングに設けられた吐出口を介して取り付けられているシュータとを備え、前記オーガで集めた雪を前記ブロワで吹き上げ、前記シュータから投雪する除雪機において、前記シュータの下端は、前記吐出口の上端にヒンジで回転可能に留められ、雪を高所へ投雪するときには前記シュータを垂直姿勢にさせ、雪を遠方へ投雪するときには前記シュータを所定の角度で傾斜姿勢にさせ、保管するときには前記シュータを水平姿勢にさせることができるように構成したことを特徴とする。
【００１１】
請求項２に係る考案では、シュータの下端部と吐出口の上端部は、シュータを垂直姿勢又は傾斜姿勢で保持するロック機構によって連結されていることを特徴とする。
【００１２】
請求項３に係る考案では、ブロワケーシングに、水平姿勢のシュータを載せるシュータ受け台が設けられ、前記シュータの姿勢を垂直姿勢又は傾斜姿勢から水平姿勢へ変更するとき、ロック機構を取り外すように構成したことを特徴とする。
【考案の効果】
【００１３】
請求項１に係る考案では、シュータの下端は、吐出口の上端にヒンジで回転可能に留められ、雪を高所へ投雪するときには前記シュータを垂直姿勢にさせ、雪を遠方へ投雪するときには前記シュータを所定の角度で傾斜姿勢にさせることができるように構成したので、作業状況に応じてシュータ全体の姿勢を変えることができる。シュータ全体の姿勢を変えることができれば、投雪距離を広い範囲内で変更することができる。これにより、作業状況に応じた投雪距離を選択することができる除雪機を実現することができる。
【００１４】
請求項１によれば、作業状況に応じた投雪距離を選択することができる除雪機を提供することができる。
【００１５】
また、シュータの下端は、吐出口の上端にヒンジで回転可能に留められ、保管するときには前記シュータを水平姿勢にさせることができるように構成したので、除雪機の高さを作業するときに比べて低くすることができる。すなわち、保管時に除雪機の高さを低くすることができる。
【００１６】
請求項２に係る考案では、シュータの下端部と吐出口の上端部は、シュータを垂直姿勢又は傾斜姿勢で保持するロック機構によって連結されているので、シュータの垂直姿勢又は傾斜姿勢を確実に保持することができる。
【００１７】
請求項３に係る考案では、ブロワケーシングに、水平姿勢のシュータを載せるシュータ受け台が設けられているので、シュータを安定した状態で保管することができる。シュータが除雪機の他の部位と接触することがないので、シュータの損傷を防ぐことができる。
【考案を実施するための最良の形態】
【００１８】
本考案を実施するための最良の形態を添付図に基づいて以下に説明する。
図１は本考案に係る除雪機の斜視図であり、除雪機は、駆動源が常時連結されている一体型除雪機として説明する。なお、以下で説明する「前」、「後」、「左」、「右」は運転者から見た方向を示す。
【００１９】
一体型除雪機１０は、雪上１１を走行するために左右に設けられている走行部１２、１２と、これらの走行部１２、１２で支持されている機体１３と、この機体１３に内蔵されている駆動部１４と、機体１３の上部に設けられているカバー１５と、このカバー１５より後方に配置するように機体１３の上部に設けられている操作盤１６と、この操作盤１６より後方に配置するように機体１３の後部に設けられ運転者が握る操作ハンドル１７と、機体１３の前部から前方へ突出するように設けられているブロワケーシング１８と、このブロワケーシング１８の前部に接続されているオーガハウジング１９と、このオーガハウジング１９の内側に設けられているオーガ２１と、ブロワケーシング１８に設けられている吐出口２２と、この吐出口２２に旋回可能に設けられているシュータ３０とを備えている。
【００２０】
図２は本考案に係るシュータ周りの斜視図であり、図左下方向を「前」、右上方向を「後」、左上方向を「左」、右下方向を「右」として説明する。
シュータ３０の下端としてのシュータ３０の後面の下端３１は、吐出口２２の上端としてのシュータ支持台３２の後面の上端３３にヒンジ３４（詳細後述）で回転可能に留められている。
【００２１】
また、シュータ３０の右側面の下端部３５とシュータ支持台３２の右側面の上端部３６は、シュータ３０を実線で示す垂直姿勢又は二点鎖線で示す傾斜姿勢で保持する右ロック機構３７（詳細後述）によって連結されている。
【００２２】
なお、ロック機構は、上記では右ロック機構３７のみで説明したが、左ロック機構もシュータ支持台３２の左側面の上端部に存在し、左ロック機構の構造は右ロック機構３７と同様である。
【００２３】
３８は支持板、３９は補強板、４１はシュータ旋回ギヤ、４２はスペーサ、４３は覆い板、４４はボルト、４５はシュータ旋回駆動機構、４６は取付金具である。
【００２４】
図３は本考案に係る吐出口とシュータの分解斜視図であり、ヒンジ３４は、シュータ３０の後面の下端３１に取り付けられているシュータ側スリーブ４７と、このシュータ側スリーブ４７を挟むようにシュータ支持台３２の後面の上端３３に取り付けられている吐出口側スリーブ４８、４９と、シュータ側スリーブ４７と吐出口側スリーブ４８、４９に挿入する挿入ピン５１と、この挿入ピン５１の先端部に設けられた孔５２に挿入する割りピン５３とで構成されている。
【００２５】
また、右ロック機構３７は、シュータ３０の右側面の下端部３５に設けられているシュータ側右長穴５４（詳細後述）と、シュータ支持台３２の右側面の上端部３６に設けられている吐出口側右長穴部５５（詳細後述）と、シュータ側右長穴５４と吐出口側右長穴部５５に挿入する例えば六角ボルトを用いた右ロックボルト５６（詳細後述）と、この右ロックボルト５６の先端にねじ込ませる例えばアイナットを用いた右ロックナット５７とで構成されている。
【００２６】
左ロック機構５８は、シュータ３０の左側面の下端部５９に設けられているシュータ側左長穴６１と、シュータ支持台３２の左側面の上端部６２に設けられている吐出口側左長穴部６３と、シュータ側左長穴６１と吐出口側左長穴部６３に挿入する例えば六角ボルトを用いた左ロックボルト６４と、左ロックボルト６４の先端にねじ込ませる例えばアイナットを用いた左ロックナット６５とで構成されている。
【００２７】
なお、右ロック機構３７及び左ロック機構５８は、実施例ではボルトにナットをねじ込む形式を適用して説明したが、ピンにリングを圧入する形式を採用することができるため、他の形式に変更することは差し支えない。
【００２８】
したがって、シュータ支持台３２の内側にシュータ３０の下部を入れ、シュータ側スリーブ４７と吐出口側スリーブ４８、４９に挿入ピン５１を挿入し、この挿入ピン５１の先端に設けられた孔５２に割りピン５３を嵌め、シュータ側右長穴５４と吐出口側右長穴部５５に右ロックボルト５６を挿入し、シュータ側左長穴６１と吐出口側左長穴部６３に左ロックボルト６４を挿入し、右ロックボルト５６に右ロックナット５７をねじ込み、左ロックボルト６４に左ロックナット６５をねじ込むことで、吐出口２２とシュータ３０を連結させることができる。
【００２９】
６６はシュータ第１上部、６７はシュータ第２上部、６８はシュータ下端部閉止板、６９はリンク機構、７１はシュータ上部駆動機構、７２は連結管、７３は雪漏れ防止板である。
【００３０】
図４は本考案に係るロック機構の断面図であり、（ａ）は図２の４ａ−４ａ線断面図に相当する。（ａ）にて、吐出口側右長穴部５５は、最上位で水平に形成され先端部７４には右ロックボルト５６が嵌っている垂直姿勢ロック長穴７５と、この垂直姿勢ロック長穴７５から図下へ延ばされている接続長穴７６と、この接続長穴７６から右上へ延ばされている傾斜姿勢ロック長穴７７とで構成されている。
【００３１】
また、垂直姿勢ロック長穴７５の先端部７４の配置角度は、挿入ピン５１の中心点Ｐから上に例えばθ１＝７°とし、傾斜姿勢ロック長穴７７の先端部７８の配置角度は、挿入ピン５１の中心点Ｐから下に例えばθ２＝３°とした。すなわち、実施例では垂直姿勢から傾斜姿勢への変更角度をθ１とθ２の合計であるθ＝１０°とした。
【００３２】
７９は吐出口側にヒンジを取り付ける吐出口側ヒンジ取付板、８１はシュータ側にヒンジを取り付けるシュータ側ヒンジ取付板、８２は補強板である。
【００３３】
右ロックボルト５６を矢印（１）のようにシュータ側右長穴５４内を移動させると同時に垂直姿勢ロック長穴７５から外し、シュータ３０を矢印（２）のように中心点Ｐ回りに反時計方向に回転させると、右ロックボルト５６はシュータ３０と同時に矢印（３）のように接続長穴７６内を下降していく。
【００３４】
（ｂ）にて、右ロックボルト５６が傾斜姿勢ロック長穴７７に接触したので、シュータ３０の傾斜が止まる。次に矢印（４）のように右ロックボルト５６をシュータ側右長穴５４内を移動させると同時に傾斜姿勢ロック長穴７７の先端部７８に嵌めることで、シュータ３０の傾斜姿勢がロックされる。これで、シュータ３０を所定の角度としての例えば１０°で傾斜姿勢にさせることができる。
【００３５】
シュータ３０の右側面の下端部３５とシュータ支持台３２の右側面の上端部３６は、シュータ３０を垂直姿勢又は傾斜姿勢で保持する右ロック機構３７によって連結されているので、シュータ３０の垂直姿勢又は傾斜姿勢を確実に保持することができる。
【００３６】
図５は垂直姿勢でのシュータの作用説明図であり、（ａ）にて、運転者８３は、一体型除雪機１０を操縦し、垂直姿勢のシュータ３０から高い雪山８４へ雪８５を投雪している。
【００３７】
（ｂ）は（ａ）のｂ部拡大図であり、右ロックナット５７を矢印（５）のように動かし、シュータ３０の垂直姿勢のロックが解除される。
（ｃ）にて、シュータ３０を矢印（６）のように傾斜させていく。
【００３８】
図６は傾斜姿勢でのシュータの作用説明図であり、（ａ）にて、右ロックナット５７が矢印（７）のように傾斜姿勢ロック長穴７７上に移動し、シュータ３０の傾斜が止まる。
（ｂ）にて、シュータ３０は傾斜姿勢になった。
【００３９】
（ｃ）は（ｂ）のｃ部拡大図であり、右ロックナット５７を矢印（８）のように動かし、シュータ３０の傾斜姿勢をロックする。
（ｄ）にて、運転者８３は、一体型除雪機１０を操縦し、傾斜姿勢のシュータ３０から雪上１１の遠方へ雪８５を投雪している。
【００４０】
一体型除雪機１０では、シュータ３０の後面の下端３１は、シュータ支持台３２の後面の上端３３にヒンジ３４で回転可能に留められ、雪を高い雪山（図５の符号８４）へ投雪するときにはシュータ３０を垂直姿勢にさせ、雪を雪上１１の遠方へ投雪するときにはシュータ３０を例えば１０°で傾斜姿勢にさせることができるように構成したので、作業状況に応じてシュータ３０全体の姿勢を変えることができる。シュータ３０全体の姿勢を変えることができれば、投雪距離を広い範囲内で変更することができる。これにより、作業状況に応じた投雪距離を選択することができる一体型除雪機１０を実現することができる。
【００４１】
ところで、除雪機のシュータは、上方へ延びているため、保管時には大きなスペースを必要とする。しかし、保管場所の空いているスペースが限られる場合には、除雪機は小型であることが望ましい。そのため、シュータを水平に倒すことで除雪機の高さを低くすることができる実施例を次に説明する。
【００４２】
図７は図２の変更実施例図であり、図２と共通の構造については符号を流用して説明を省略する。シュータ３０の後面の下端３１は、シュータ支持台３２の後面の上端３３にヒンジ３４で回転可能に留められ、保管するときにはシュータ３０を二点鎖線で示す水平姿勢にさせることができるように構成した。
【００４３】
加えて、一体型除雪機１０では、吐出口２２に取り付けられた支持板３８に、水平姿勢のシュータ３０を載せるシュータ受け台８６が設けられ、シュータ３０の姿勢を垂直姿勢又は傾斜姿勢から水平姿勢へ変更するとき、左ロック機構５８及び右ロック機構３７を取り外すように構成した。次に、シュータ３０を垂直姿勢から水平姿勢にする具体的な手順を説明する。
【００４４】
具体的には、左ロックナット６５及び右ロックナット５７を矢印（９）のように取り外し、左ロックボルト６４及び右ロックボルト５６を矢印（１０）のように取り外し、シュータ３０をシュータ旋回駆動機構４５及びシュータ旋回ギヤ４１で矢印（１１）のように旋回させ、シュータ３０を矢印（１２）のように倒すことで、シュータ３０が二点鎖線で示すようにシュータ受け台８６に載せられる。
【００４５】
そのため、シュータ３０を安定した状態で保管することができる。シュータ３０が一体型除雪機１０の他の部位と接触することがないので、シュータ３０の損傷を防ぐことができる。
【００４６】
図８はシュータの作業時と保管時の対比図であり、（ａ）は作業時で、一体型除雪機１０は、シュータ３０を垂直姿勢にさせている。
（ｂ）は保管時で、一体型除雪機１０は、シュータ３０を水平姿勢にさせている。このとき、一体型除雪機１０の高さは、（ａ）に比べて高さＨだけ低くなる。
【００４７】
一体型除雪機１０では、シュータ３０は、保管するときには水平姿勢にすることができるように構成したので、一体型除雪機１０の高さを作業するときに比べて低くすることができる。すなわち、保管時に一体型除雪機１０の高さを低くすることができる。
【００４８】
尚、本考案に係る除雪機は、実施の形態では駆動源が常時連結されている一体型除雪機に適用したが、自身では駆動源を持たずに必要に応じて他の作業車に連結することで駆動される分割型除雪機にも適用することができるため、一般の除雪機に適用することは差し支えない。
【００４９】
また、請求項１に記述したシュータの傾斜姿勢時の所定の角度は、実施の形態では、１０°として説明したが、この角度は任意であり、角度が１０°に限定されるものではない。
【産業上の利用可能性】
【００５０】
本考案の除雪機は、雪を高所へ投雪させる作業、又は雪を遠方へ投雪させる作業に好適である。
【図面の簡単な説明】
【００５１】
【図１】本考案に係る除雪機の斜視図である。
【図２】本考案に係るシュータ周りの斜視図である。
【図３】本考案に係る吐出口とシュータの分解斜視図である。
【図４】本考案に係るロック機構の断面図である。
【図５】垂直姿勢でのシュータの作用説明図である。
【図６】傾斜姿勢でのシュータの作用説明図である。
【図７】図２の変更実施例図である。
【図８】シュータの作業時と保管時の対比図である。
【図９】従来の技術の基本構成を説明する図である。
【符号の説明】
【００５２】
１０…一体型除雪機（除雪機）、１８…ブロワケーシング、１９…オーガハウジング、２１…オーガ、２２…吐出口、３０…シュータ、３１…シュータの後面の下端（シュータの下端）、３２…シュータ支持台、３３…シュータ支持台の後面の上端（吐出口の上端）、３４…ヒンジ、３５…シュータの右側面の下端部（シュータの下端部）、３６…シュータ支持台の右側面の上端部（吐出口の上端部）、３７…右ロック機構（ロック機構）、４７…シュータ側スリーブ、４８、４９…吐出口側スリーブ、５１…挿入ピン、５４…シュータ側右長穴、５５…吐出口側右長穴部、５６…右ロックボルト、５７…右ロックナット、５８…左ロック機構（ロック機構）、５９…シュータの左側面の下端部（シュータの下端部）、６１…シュータ側左長穴、６２…シュータ支持台の左側面の上端部（吐出口の上端部）、６３…吐出口側左長穴部、６４…左ロックボルト、６５…左ロックナット、７５…垂直姿勢ロック長穴、７６…接続長穴、７７…傾斜姿勢ロック長穴、７９…吐出口側ヒンジ取付板、８１…シュータ側ヒンジ取付板、８６…シュータ受け台。
【図１】
0003137487.tif 000003
【図２】
0003137487.tif 000004
【図３】
0003137487.tif 000005
【図４】
0003137487.tif 000006
【図５】
0003137487.tif 000007
【図６】
0003137487.tif 000008
【図７】
0003137487.tif 000009
【図８】
0003137487.tif 000010
【図９】
0003137487.tif 000011